(57)【要約】      （修正有）【課題】メガネを装着する人が、メガネの鼻当て部が当たる皮膚に、メガネの鼻当て部の跡形が残らないように、皮膚が変色しないようにするために、メガネのツルの終端部と耳たぶの下側との間に、メガネの鼻当て部を浮かし気味にする器具を設けた「メガネの鼻当て部と皮膚間の隙間を調節する器具」を提供する。【解決手段】メガネの鼻当て部１５を浮かし気味にするために、「メガネの鼻当て部と皮膚間の隙間を調節する器具」のメガネのツルの終端部との取り付け用ゴム又は紐１１を、メガネのツルの終端部１２に取り付け、もう一方の耳たぶの下側引っかけ部９は耳たぶの下側１７へ引っかけ、メガネのツルの終端部１２を耳たぶの下側１７へ引き寄せる、長さ調節可能なものを設けたことを特徴とする。【選択図】図３
2016021036.tif 000002
【特許請求の範囲】
【請求項１】
メガネのツルの終端部に取り付け用ゴム又は紐（１１）をメガネのツルの終端部（１２）に取り付け、もう一方の耳たぶの下側引っかけ部（９）は耳たぶの下側（１７）に引っかけ、てこの原理により、メガネの鼻当て部（１５）を作用点、メガネのツルの耳接触部（１３）を支点、メガネのツルの終端部との連結用ゴム又は紐（１１）を力点として、メガネのツルの終端部（１２）を耳たぶの下側（１７）へ引き寄せることで、メガネの鼻当て部（１５）を浮かし気味にするものを設けた「メガネの鼻当て部と皮膚間の隙間を調節する器具」。
【請求項２】
メガネのツルの終端部（１２）を、耳たぶの下側（１７）へ引き寄せるための長さ調節用として、内部が円筒形に空洞がある内壁に周囲を一回りする溝を数箇所掘っておき、この例の場合（３）、（４）、この円筒形の先端（５）からこれに見合う円筒形をした、耳たぶの下側かけ本体（８）のツメ部（６）及びツメバネ部（７）を差し込み、内壁を一回りする溝（３）又は（４）に、このツメ部（６）を嵌り込ませてツメバネ部（７）の反発力により圧接固定するものを設けた「メガネの鼻当て部と皮膚間の隙間を調節する器具」。
【発明の詳細な説明】
【技術分野】
【０００１】本発明は、メガネを装着する人が、メガネの鼻当て部が当たる皮膚に、メガネの鼻当て部の跡形が残らないように、メガネの鼻当て部が当たる皮膚が変色しないようにするために、メガネのツルの終端部と耳たぶの下側との間に、メガネの鼻当て部を浮かし気味にする器具を設けた「メガネの鼻当て部と皮膚間の隙間を調節する器具」に関するものである。
【背景技術】
【０００２】従来、メガネ装着時メガネは、メガネの鼻当て部により、皮膚に固定されるため、メガネの鼻当て部と皮膚間に隙間は無かった。
【先行技術文献】
【特許文献】
【０００３】
【特許文献１】特開        −        号公報
【発明の概要】
【発明が解決しようとする課題】
【０００４】これには次のような欠点があった。
（イ）従来、メガネの鼻当て部が当たる皮膚には、メガネの荷重がかかり、メガネの装着感が悪いことがあった。
（ロ）メガネを長時間、長期間使用した場合、メガネの鼻当て部が当たっている皮膚に、メガネの荷重がかかり続けるため、メガネの鼻当て部が当たる皮膚が圧迫され、メガネの鼻当て部の跡形を残したり、メガネの鼻当て部の皮膚が変色してしまうことがあった。
本発明は以上のような欠点をなくすためになされたものである。
【課題を解決するための手段】
【０００５】メガネの鼻当て部（１５）を浮かし気味にすることを目的とし、メガネのツルの終端部（１２）を、耳たぶの下側（１７）へ引き寄せるための長さ調節用として、内部が円筒形に空洞がある内壁に周囲を一回りする溝を数箇所掘っておき、この例の場合（３）、（４）、この円筒形の先端（５）からこれに見合う円筒形をした、耳たぶの下側かけ本体（８）のツメ部（６）及びツメバネ部（７）を差し込み、内壁を一回りする溝（３）又は（４）に、このツメ部（６）を嵌り込ませてツメバネ部（７）の反発力により圧接固定する、ゆえに長短はその都度、簡単に調節が可能であり、長さは使う溝、この例の場合（３）又は（４）により調節でき、円筒形の先端部（５）側の溝（４）を使えば長くなるし、奥の溝（３）まで差し込めば短くして使用できるものを作製する。使用するときは、メガネのツルの終端部（１２）と耳たぶの下側（１７）との間に、この器具（１〜１１）のメガネのツルの終端部に取り付け用ゴム又は紐（１１）をメガネのツルの終端部（１２）に取り付け、もう一方の耳たぶの下側引っかけ部（９）は耳たぶの下側（１７）に引っかけ、てこの原理により、メガネの鼻当て部（１５）を作用点、メガネのツルの耳接触部（１３）を支点、メガネのツルの終端部との取り付け用ゴム又は紐（１１）を力点として、メガネのツルの終端部（１２）を耳たぶの下側（１７）へ引き寄せることで、メガネの鼻当て部（１５）を浮かし気味にして使用する。
メガネの鼻当て部（１５）の浮かし加減は、内部が円筒形に空洞がある内壁に周囲を一回りする溝を数箇所この例の場合（３）、（４）、掘ってあるので、使用者がその都度適当に溝を選びこれにツメ部（６）を嵌り込ませて長さを調節し、メガネの鼻当て部（１５）と皮膚間の隙間を調節するものを設ける。
本発明は以上の構成よりなる「メガネの鼻当て部と皮膚間の隙間を調節する器具」である。
【発明の効果】
【０００６】（イ）メガネの鼻当て部（１５）を浮かし気味にし、メガネの鼻当て部の皮膚にかかるメガネの荷重を調節できるので、メガネの装着感がよくなる。
（ロ）メガネの鼻当て部（１５）を浮かし気味にし、メガネの鼻当て部の皮膚にかかるメガネの荷重を調節できるので、メガネを長時間、長期間使用しても、メガネの鼻当て部の皮膚を圧迫し続けたり、メガネの鼻当て部の皮膚に跡形を残したり、メガネの鼻当て部の皮膚を変色させてしまうことが少ない。
【図面の簡単な説明】
【０００７】
【図１】本発明の分解斜視図である。
【図２】本発明の斜視図である。
【図３】本発明の装着図である。
【発明を実施をするための形態】
【０００８】以下、発明を実施をするための形態について説明する。
メガネの鼻当て部（１５）を浮かし気味にすることを目的として、メガネのツルの終端部（１２）を、耳たぶの下側（１７）へ引き寄せるための長さ調節用として、内部が円筒形に空洞がある内壁に周囲を一回りする溝を数箇所掘っておき、この例の場合（３）、（４）、この円筒形の先端（５）からこれに見合う円筒形をした、耳たぶの下側かけ本体（８）のツメ部（６）及びツメバネ部（７）を差し込み、内壁を一回りする溝、この例の場合（３）又は（４）に、このツメ部（６）を嵌り込ませてツメバネ部（７）の反発力により圧接固定する、ゆえに長短はその都度、簡単に調節が可能であり、使う溝（３）又は（４）により長さは調節でき、円筒形の先端部（５）側の溝（４）を使えば長くなるし、奥の溝（３）まで差し込めば短くして使用することができる。
本発明は、以上のような構造である。
本発明を使用するときは、メガネのツルの終端部（１２）と耳たぶの下側（１７）との間に、この器具（１〜１１）のメガネのツルの終端部に取り付け用ゴム又は紐（１１）をメガネのツルの終端部（１２）に取り付け、もう一方の耳たぶの下側引っかけ部（９）は、耳たぶの下側（１７）に引っかけ、てこの原理により、メガネの鼻当て部（１５）を作用点、メガネのツルの耳接触部（１３）を支点、メガネのツルの終端部との取り付け用ゴム又は紐（１１）を力点として、メガネのツルの終端部（１２）を耳たぶの下側（１７）へ引き寄せることで、メガネの鼻当て部（１５）を浮かし気味にして使用する。
メガネの鼻当て部（１５）の浮かし加減は、内部が円筒形に空洞がある内壁に周囲を一回りする溝を数箇所、この例の場合（３）、（４）、掘ってあるので、使用者がその都度適当に溝を選びこれにツメ部（６）を嵌り込ませて長さを調節し、メガネの鼻当て部（１５）と皮膚間の隙間を調節して使用する。
【符号の説明】
【０００９】  １メガネのツルの終端部に取り付け用ゴム又は紐の通し穴用出っ張り
２円筒（内部は円筒形に空洞有り）
３円筒内壁の溝部
４円筒内壁の溝部
５円筒先端部
６ツメ部
７ツメバネ部
８耳たぶの下側かけ本体
９耳たぶの下側引っかけ部
１０伸縮方向
１１メガネのツルの終端部に取り付け用ゴム又は紐
１２メガネのツル終端部
１３メガネのツルの耳接触部
１４メガネのツル
１５メガネの鼻当て部
１６メガネレンズ
１７耳たぶの下側
【図１】
2016021036.tif 000003
【図２】
2016021036.tif 000004
【図３】
2016021036.tif 000005